(57)【要約】【課題】比較的少ない操作回数で所望の条件を設定することができる。【解決手段】ディスプレイ１２上に、各設定項目毎に複数の選択肢を仮想面上に配置した面付け設定選択肢配置面Ｓａおよび両面設定選択肢配置面Ｓｂと、ポインタＰｔとを含む条件設定画面Ｇ１を表示させる。そして、条件設定画面Ｇ１上においてポインタＰｔの占める位置を移動させて１箇所に配置することによって各選択肢配置面Ｓａ，Ｓｂの選択肢をそれぞれ同時に選択する。このような構成により、複数の選択肢を指定する操作をポインタＰｔを適宜移動させる１つの操作で実行することができる。【選択図】図６
2007001233.tif 000002
【特許請求の範囲】
【請求項１】
表示面を有する表示手段を備えた電気機器であって、
複数の設定項目について設定項目毎に複数の選択肢が仮想面上にそれぞれ配置された複数の選択肢配置面と、所定の形状を有するポインタとを含む条件設定画面を前記表示面に表示させる表示制御手段と、
ユーザーの操作に応答して、前記条件設定画面における前記ポインタの位置を移動させる移動手段と、
前記ポインタを１箇所に配置することにより、当該ポインタによって各前記選択肢配置面の選択肢をそれぞれ同時に指定することで、複数の選択肢からなる選択肢の組を指定する選択肢指定手段と、
を備えることを特徴とする電気機器。
【請求項２】
請求項１に記載の電気機器であって、
前記条件設定画面が、
前記複数の選択肢配置面が視覚的に相互に異なる面上にそれぞれ配置された画面であり、
前記選択肢指定手段が、
前記ポインタによって前記複数の選択肢配置面を貫くことで、前記選択肢の組を指定することを特徴とする電気機器。
【請求項３】
請求項１または請求項２に記載の電気機器であって、
前記条件設定画面が、
前記ポインタによって所定の組み合わせの選択肢の組が指定されないように、各前記選択肢配置面にそれぞれ複数の選択肢が配置された画面であることを特徴とする電気機器。
【請求項４】
請求項２に記載の電気機器であって、
前記複数の設定項目が、
第１および第２の設定項目を含み、
前記条件設定画面が、
設定上矛盾する前記第１の設定項目に係る第１の選択肢と前記第２の設定項目に係る第２の選択肢とが、前記ポインタの長手方向に沿って配列されないように、各前記選択肢配置面にそれぞれ複数の選択肢が配置された画面であることを特徴とする電気機器。
【請求項５】
請求項１から請求項４のいずれかに記載の電気機器であって、
ユーザーによる選択操作に応答して、多数の選択肢配置面のうちの一部の選択肢配置面群を抽出する抽出手段、
を更に備え、
前記複数の選択肢配置面が、
前記抽出手段によって抽出された前記選択肢配置面群であることを特徴とする電気機器。
【請求項６】
請求項１から請求項４のいずれかに記載の電気機器であって、
前記表示面における前記ポインタの基準位置を示す座標情報を格納する情報格納手段と、
ユーザーの所定の動作を検出する動作検出手段と、
前記表示制御手段が、
前記動作検出手段によって前記所定の動作を検出したことに応答して、前記座標情報を参照することで、前記ポインタを前記基準位置に表示させることを特徴とする電気機器。
【請求項７】
請求項６に記載の電気機器であって、
ユーザーを識別するユーザー識別手段、
を更に備え、
前記情報格納手段が、
前記表示面における前記ポインタの基準位置を示す座標情報を、ユーザー毎にそれぞれ記憶した座標情報群を格納し、
前記表示制御手段が、
前記動作検出手段によって前記所定の動作を検出したことに応答して、前記座標情報群を参照することで、前記ユーザー識別手段によって識別されたユーザーに対応する基準位置に前記ポインタを表示させることを特徴とする電気機器。
【請求項８】
表示面を有する表示手段を備えた電気機器に含まれるコンピュータによって実行されることにより、前記電気機器を、請求項１から請求項７のいずれかに記載の電気機器として機能させるプログラム。
【発明の詳細な説明】
【技術分野】
【０００１】
本発明は、ユーザーインターフェースに関する。
【背景技術】
【０００２】
携帯電話機などの携帯式の各種電気機器は小型のディスプレイを有し、当該ディスプレイが、各種の設定を実現するための操作画面を表示することで、ユーザーインターフェース（ＵＩ）として機能する。
【０００３】
この操作画面では、条件の設定に係る複数の選択肢（操作コントロール）が列挙された初期画面が表示される。そして、例えば、この初期画面が表示された状態で、１つの選択肢が選ばれると次の画面に遷移し、当該画面で細かな選択肢が選択されると更に次の画面に遷移し、当該画面で設定条件が選択されると１つの条件が設定されるといった具合に、１つの条件を設定するのに多くの操作が必要となる。また、複数の条件を設定しようとすれば、１つの条件が設定された後に、一旦初期画面が表示された状態に戻して、再度、同様な操作によって次の条件を設定しなければならず、操作回数が多くなってしまうため、操作性が非常に悪い。
【０００４】
そこで、操作性を向上させるために、各面に所定の選択肢が割り付けられた多面体を表示させ、マウスで多面体を回転させて、所望の選択肢が割り付けられた面を表示させ、当該面をクリックすることにより、当該選択肢を選択することができるデータ処理システムが提案されている（例えば、特許文献１）。
【０００５】
このような技術に関する先行技術文献としては、以下のようなものがある。
【０００６】
【特許文献１】特開平９−１６０７３９号公報
【発明の開示】
【発明が解決しようとする課題】
【０００７】
しかしながら、特許文献１で提案されている技術では、設定条件が多ければ、各面に割り付けられた１の選択肢を選択する操作を順次進めることで、各選択肢毎に条件を設定しなければならず、依然として操作回数が多くなってしまう。また、多面体の各面に選択肢が割り付けられているため、多面体の裏側に割り付けられている選択肢が見つけ難い。
【０００８】
このような条件の設定に多くの操作回数が必要であるために操作性が悪くなるといった問題は、携帯式の各種電気機器に限られず、条件を設定するための画面を表示する電気機器一般に共通する問題である。
【０００９】
本発明は、上記課題に鑑みてなされたものであり、比較的少ない操作回数で所望の条件を設定することができる技術を提供することを目的とする。
【課題を解決するための手段】
【００１０】
上記の課題を解決するために、請求項１の発明は、表示面を有する表示手段を備えた電気機器であって、複数の設定項目について設定項目毎に複数の選択肢が仮想面上にそれぞれ配置された複数の選択肢配置面と、所定の形状を有するポインタとを含む条件設定画面を前記表示面に表示させる表示制御手段と、ユーザーの操作に応答して、前記条件設定画面における前記ポインタの位置を移動させる移動手段と、前記ポインタを１箇所に配置することにより、当該ポインタによって各前記選択肢配置面の選択肢をそれぞれ同時に指定することで、複数の選択肢からなる選択肢の組を指定する選択肢指定手段とを備えることを特徴とする。
【００１１】
また、請求項２の発明は、請求項１に記載の電気機器であって、前記条件設定画面が、前記複数の選択肢配置面が視覚的に相互に異なる面上にそれぞれ配置された画面であり、前記選択肢指定手段が、前記ポインタによって前記複数の選択肢配置面を貫くことで、前記選択肢の組を指定することを特徴とする。
【００１２】
また、請求項３の発明は、請求項１または請求項２に記載の電気機器であって、前記条件設定画面が、前記ポインタによって所定の組み合わせの選択肢の組が指定されないように、各前記選択肢配置面にそれぞれ複数の選択肢が配置された画面であることを特徴とする。
【００１３】
また、請求項４の発明は、請求項２に記載の電気機器であって、前記複数の設定項目が、第１および第２の設定項目を含み、前記条件設定画面が、設定上矛盾する前記第１の設定項目に係る第１の選択肢と前記第２の設定項目に係る第２の選択肢とが、前記ポインタの長手方向に沿って配列されないように、各前記選択肢配置面にそれぞれ複数の選択肢が配置された画面であることを特徴とする。
【００１４】
また、請求項５の発明は、請求項１から請求項４のいずれかに記載の電気機器であって、ユーザーによる選択操作に応答して、多数の選択肢配置面のうちの一部の選択肢配置面群を抽出する抽出手段を更に備え、前記複数の選択肢配置面が、前記抽出手段によって抽出された前記選択肢配置面群であることを特徴とする。
【００１５】
また、請求項６の発明は、請求項１から請求項５のいずれかに記載の電気機器であって、前記表示面における前記ポインタの基準位置を示す座標情報を格納する情報格納手段と、ユーザーの所定の動作を検出する動作検出手段と、前記表示制御手段が、前記動作検出手段によって前記所定の動作を検出したことに応答して、前記座標情報を参照することで、前記ポインタを前記基準位置に表示させることを特徴とする。
【００１６】
また、請求項７の発明は、請求項６に記載の電気機器であって、ユーザーを識別するユーザー識別手段を更に備え、前記情報格納手段が、前記表示面における前記ポインタの基準位置を示す座標情報を、ユーザー毎にそれぞれ記憶した座標情報群を格納し、前記表示制御手段が、前記動作検出手段によって前記所定の動作を検出したことに応答して、前記座標情報群を参照することで、前記ユーザー識別手段によって識別されたユーザーに対応する基準位置に前記ポインタを表示させることを特徴とする。
【００１７】
また、請求項８の発明は、表示面を有する表示手段を備えた電気機器に含まれるコンピュータによって実行されることにより、前記電気機器を、請求項１から請求項７のいずれかに記載の電気機器として機能させるプログラムである。
【発明の効果】
【００１８】
請求項１に記載の発明によれば、設定項目毎に複数の選択肢を仮想面上に配置した複数の選択肢配置面と、ポインタとを表示させ、当該ポインタを移動させて１箇所に配置することによって各選択肢配置面の選択肢をそれぞれ同時に指定するような構成を採用することで、比較的少ない操作回数で所望の条件を設定することができる。
【００１９】
また、請求項２に記載の発明によれば、複数の選択肢配置面を、視覚的に相互に異なる面上にそれぞれ表示させ、ポインタにより複数の選択肢配置面を貫くことで、選択肢の組を指定するような構成を採用することで、限られた表示領域に複数の選択肢を並べた画面を表示しつつ、比較的少ない操作回数で所望の条件を設定することができる。
【００２０】
また、請求項３に記載の発明によれば、所定の組み合わせの選択肢の組が指定されないように、各選択肢配置面においてそれぞれ複数の選択肢を配置させるため、例えば、矛盾する組合わせの選択肢の組を指定してしまうといった不具合の発生や、当該不具合の発生を解消する余分な動作等を招かないようにすることができるため、容易な操作で所望の条件を設定することができる。
【００２１】
また、請求項４に記載の発明によれば、設定上矛盾する第１の設定項目に係る第１の選択肢と第２の設定項目に係る第２の選択肢とが、ポインタの長手方向に沿って配列されないように、各選択肢配置面においてそれぞれ複数の選択肢を配置させることで、矛盾する条件が設定されるのを未然に防ぐことができるため、容易な操作で所望の条件を設定することができる。
【００２２】
また、請求項５に記載の発明によれば、ユーザーによる選択操作に応答して、多数の選択肢配置面のうちの一部の選択肢配置面群を抽出して、当該一部の選択肢配置面群について、ポインタを移動させて１箇所に配置することによって各選択肢配置面の選択肢をそれぞれ同時に選択するような構成を採用することで、必要な複数の選択肢配置面を表示面上に比較的見易く表示させることができるため、操作性の向上に資することができる。
【００２３】
また、請求項６に記載の発明によれば、ポインタの基準位置を示す座標情報を格納しておき、ユーザーによる所定の動作を検出したことに応答して、座標情報を参照することで、ポインタを基準位置に表示させるような構成により、容易に選択肢の組を指定することができる。また、ポインタの位置を示す座標情報といった比較的少ない情報で多数の選択肢の組み合わせを特定することができるため、記憶媒体の記憶容量を有効利用することができる。
【００２４】
また、請求項７に記載の発明によれば、ポインタの基準位置を示す座標情報を、ユーザー毎にそれぞれ記憶しておき、ユーザーによる所定の動作を検出したことに応答して、識別されたユーザーに対応する基準位置にポインタを表示させるような構成とすることで、ユーザーに応じて選択肢の組を指定する操作を簡素化することができるため、更に容易に選択肢の組を指定することができる。
【００２５】
また、請求項８に記載の発明によれば、請求項１から請求項７のいずれかに記載の発明と同様な効果を得ることができる。
【発明を実施するための最良の形態】
【００２６】
以下、本発明の実施形態を図面に基づいて説明する。
【００２７】
＜第１実施形態＞
＜ＭＦＰの概要＞
図１は、マルチ・ファンクション・ペリフェラル（以下、「ＭＦＰ」と略する）１を示す外観図である。ＭＦＰ１は、スキャナ、複写機、プリンタ、ファックス等の複数の画像処理機能を有する複合機であり、ネットワークを介したデータの送受信が可能である。また、ＭＦＰ１は、複写機、プリンタ、ファックス等によって各種画像を出力する画像出力装置としても機能するし、ファックス等によって各種画像を送信する画像送信装置としても機能する。
【００２８】
ＭＦＰ１は、図１に示すように、ユーザに対する指示メニューや取得した画像に関する情報等の表示を行うディスプレイ１２と、複数のキーを備え、当該キーに対するユーザの操作による各種の指示や、文字・数字等のデータの入力を受け付ける操作部群１３と、を備える操作パネル１０、原稿を光電的に読み取って画像データを得るスキャナ部２０、および画像データに基づいて記録シート上に画像を印刷するプリンタ部３０を備える。なお、操作パネル１０は、ＭＦＰ１の正面上部に配置されている。
【００２９】
また、ＭＦＰ１は、本体上面に原稿をスキャナ部２０に送るフィーダ部２１、下部にはプリンタ部３０に記録シートを供給する給紙部４０、中央部にはプリンタ部３０によって画像が印刷された記録シートが排出されるトレイ５０、内部にはネットワークを介して外部機器と画像データ等の送受信を行う通信部６０、および各種データ等を記憶する記憶部に相当するハードディスク７０を備えている。なお、図示は省略しているがＭＦＰ１はネットワーク・インターフェイス（ネットワークＩ／Ｆ）を有し、通信部６０は外部機器との間で各種データの送受信が可能なようにネットワークＩ／Ｆを介してネットワークに接続されている。
【００３０】
ディスプレイ１２は、データ送信の宛先の一覧表示を含む種々の表示に使用される一方、操作部群１３はユーザによる送信先（宛先）の選択を含む種々の入力に用いられるものであり、これらがユーザーインターフェース（ユーザーＩ／Ｆ）の要部として機能する。そして、ディスプレイ１２は、各種画面を表示する表示面を有し、表示した情報を利用者が指で触れることで選択できるタッチパネルとしても機能する。更に、ディスプレイ１２は、ＭＦＰ１を動作させるための各種条件を設定するための画面（以下「条件設定画面」とも称する）を表示する。
【００３１】
スキャナ部２０は、写真、文字、絵などの画像情報を原稿から光電的に読み取って画像データを取得する。取得された画像データ（濃度データ）は、図示しない画像処理部においてデジタルデータに変換され、周知の各種画像処理を施された後、プリンタ部３０や通信部６０に送られ、画像の印刷やデータの送信に供されるか、または、後の利用のためにハードディスク７０に格納される。
【００３２】
プリンタ部３０は、スキャナ部２０により取得された画像データ、通信部６０により外部機器から受信した画像データ、またはハードディスク７０に格納されている画像データに基づいて記録シート上に画像を印刷することで、画像を可視的に出力する。
【００３３】
通信部６０は、公衆電話回線を介してファクシミリデータの送受信を行う他、ＬＡＮ、インターネット等のネットワークを介して、該ネットワークに接続された外部機器との間で電子メール等を用いて画像データ（画像）等を含む各種データの送受信、すなわち入出力を行う。これにより、ＭＦＰ１は、通常のファクシミリ通信を行うファクシミリ装置としての機能のみならず、電子メールの送受信端末としての機能も有する。したがって、電子メールの添付ファイルとして、各種画像データや文書データなどを送受信することもできる。なお、ＭＦＰ１が行うネットワーク通信は有線でもよく無線でもよい。
【００３４】
＜機能構成＞
図２は、ＭＦＰ１の主な機能構成を示すブロック図である。ＭＦＰ１は、ＭＦＰ１全体の動作を制御するコントローラー１２０を備える。このコントローラー１２０は、各種演算処理を行うＣＰＵ１２１と、各種データを記憶するＲＡＭ１２２、および所定のソフトウェアプログラム（以下、単に「プログラム」と称する）１３１を記憶するＲＯＭ１３０を備えて構成される。
【００３５】
また、コントローラー１２０には、ディスプレイ１２、及び操作部群１３を含むユーザーＩ／Ｆ２３０、スキャナ部２０、プリンタ部３０、およびハードディスク７０も接続される。ハードディスク７０は、画像データ等の各種データを保存する不揮発性の記憶媒体である。なお、ＲＡＭ１２２は、不揮発性メモリ(nonvolatile RAM)である。
【００３６】
これにより、コントローラー１２０のＣＰＵ１２１の制御の下にＲＡＭ１２２、スキャナ部２０、プリンタ部３０、並びにハードディスク７０の間で各種データの受け渡しが可能とされており、ディスプレイ１２には、コントローラー１２０のＣＰＵ１２１の制御により、ＲＡＭ１２２、ハードディスク７０に記憶されている情報の表示が行われる。
【００３７】
さらに、コントローラー１２０には、ネットワークを介して接続される外部機器との間でデータの送受信を行うための通信部６０も接続される。つまり、ＭＦＰ１は、データの送信を行うデータ送信システム、およびデータの受信を行うデータ受信システムとしても機能する。
【００３８】
通信部６０は、上述したように電子メール（E-Mail）の送信を行う機能を有している。この機能は、通信部６０が、コントローラー１２０などと協働することによって実現される。そして、コントローラー１２０の制御の下で、通信部６０が所定の送信先に電子メールを送信することができる。
【００３９】
ハードディスク７０は、図２に示すように、各ユーザーを示す情報と、条件設定画面におけるポインタのデフォルト位置（「基準位置」とも称する）の座標情報（以下「デフォルト位置情報」とも称する）とが関連付けられたデータベース（以下「デフォルト位置情報ＤＢ」とも称する）７１を格納している。
【００４０】
また、コントローラー１２０は、スキャナ部２０によって読み取られたデータを所定のファイル形式のデータに変換する機能を有している。
【００４１】
なお、この実施形態においては、プログラム１３１はＲＯＭ１３０内に格納されているが、プログラム１３１はＲＡＭ１２２内に格納されていても良い。また、ＲＡＭ１２２やＲＯＭ１３０内に格納されるプログラムは、たとえば、ネットワークを介した通信によってＭＦＰ１内に取り込んだプログラムであっても良い。
【００４２】
ここで、プログラム１３１を読み込むことでＣＰＵ１２１によって実現される条件設定に係る機能（条件設定機能）について図３を参照しつつ説明する。なお、図３は、条件設定機能に関する機能構成を示すブロック図である。
【００４３】
表示制御部２０１は、プログラム１３１の実行にしたがって、各種情報等をディスプレイ１２の表示面上に表示させる。具体的には、ＭＦＰ１の動作条件を既定する複数の設定項目について設定項目毎に複数の選択肢が配列された画像と、各設定項目に係る選択肢を指定するためのポインタとを含む画面（条件設定画面）を表示させる。
【００４４】
ポインタ移動部２０２は、ユーザーがタッチパネルに適宜触れることで、ディスプレイ１２に表示された条件設定画面上におけるポインタの位置を移動させる。
【００４５】
選択肢指定部２０３は、ディスプレイ１２に表示された条件設定画面上においてポインタによって指示される選択肢を指定する。
【００４６】
ユーザー検出部２０４は、ディスプレイ１２に表示されるカスタマイズ画面（後述）をユーザーが操作する動作を検出する。
【００４７】
図４は、カスタマイズ画面を例示する図である。ここでは、カスタマイズ画面は、条件設定画面を表示する前にディスプレイ１２に表示される画面であり、ＭＦＰ１の電源が投入されると、まずディスプレイ１２に表示される。
【００４８】
このカスタマイズ画面には、デフォルト位置情報ＤＢ７１に登録されている各ユーザーの名称がそれぞれ付された複数のボタン（ボタン群）ＢＴと、単に条件設定画面へ遷移させるためのボタン（条件設定画面ボタン）ＴＣＢとが列挙されている。なお、ここでは、図４に示すように、「Ａさん」「Ｂさん」「Ｃさん」「Ｄさん」「Ｅさん」「Ｆさん」といった６名のユーザーの名称がそれぞれ付されたボタン（ユーザー指定ボタン）ＢＴａ〜ＢＴｆが表示される。また、デフォルト位置情報ＤＢ７１には、前回のＭＦＰ１の使用終了時におけるポインタの設定位置の座標を示す情報（座標情報）が前回使用時に対応するデフォルト位置情報として記憶されている。
【００４９】
ユーザー識別部２０５は、カスタマイズ画面におけるユーザーの指定の操作に応答してユーザーを識別する。ここでは、ユーザー指定ボタンＢＴａ〜ＢＴｆのいずれか１つのボタンが押下されると、押下されたボタンに付されたユーザー用にカスタマイズされた条件設定画面に遷移する。なお、ここで言う「条件設定画面のカスタマイズ」とは、条件設定画面におけるポインタのデフォルト位置がカスタマイズされていることを意味している。
【００５０】
そして、例えば、「Ａさん」の名称が付されたユーザー指定ボタンＢＴａが指で触れられると、ディスプレイ１２の表示画面が、カスタマイズ画面から「Ａさん」に対応する条件設定画面に遷移する。
【００５１】
ここで、条件設定画面について説明する。
【００５２】
＜条件設定画面＞
図５は、条件設定画面Ｇ１を例示する図である。ここでは、条件設定画面Ｇ１は、印刷の条件を設定する画面となっている。この条件設定画面Ｇ１では、設定する条件の項目（設定項目）が面付けに係る設定（Ｎｉｎ１設定）と両面印刷に係る設定（両面設定）となっている。
【００５３】
条件設定画面Ｇ１には、Ｎｉｎ１設定に係る複数の選択肢が仮想的な面（仮想面）上に配置された面（以下「面付け設定選択肢配置面」とも称する）Ｓａと、両面設定に係る複数の選択肢が仮想的な面上に配置された面（以下「両面設定選択肢配置面」とも称する）Ｓｂとが表示される。そして、条件設定画面Ｇ１上では、面付け設定選択肢配置面Ｓａと両面設定選択肢配置面Ｓｂとが隣接配置される。
【００５４】
面付け設定選択肢配置面Ｓａは、Ｎｉｎ１設定に係る選択肢（１ｉｎ１，２ｉｎ１，４ｉｎ１）が付された領域Ａａ１，Ａａ２，Ａａ４が仮想面上において相互に隣接された１つの面として構成される。なお、ここで、「１ｉｎ１」とは、１枚の印刷用紙の片面に１ページ分の文書を印刷することを意味し、「２ｉｎ１」とは、１枚の印刷用紙の片面に２ページ分の文書を印刷することを意味し、「４ｉｎ１」とは、１枚の印刷用紙の片面に４ページ分の文書を印刷することを意味している。
【００５５】
また、面付け設定選択肢配置面Ｓａは、画面上では略平行四辺形の形状を有し、長方形の板状の物体を擬似的に斜め方向から見たような形状となっている。そして、面付け設定選択肢配置面Ｓａは、短辺と平行な２つの線分によって３つの領域Ａａ１，Ａａ２，Ａａ４に分割されている。
【００５６】
また、両面設定選択肢配置面Ｓｂは、両面設定に係る選択肢（Simple，Long Edge Bind，Short Edge Bind）が付された領域Ａａａ，Ａａｂ，Ａａｃが仮想面上において相互に隣接された１つの面として構成される。なお、ここで、「Simple」とは、単なる片面印刷を意味し、「Long Edge Bind」とは、長辺閉じ用の両面印刷を意味し、「Short Edge Bind」とは、短辺閉じ用の両面印刷を意味している。
【００５７】
両面設定選択肢配置面Ｓｂは、画面上では、面付け設定選択肢配置面Ｓａと同様な形状となっている。つまり、ここでは、同様な形状および大きさを有する略平行四辺形の２つの板状の物体が、画面斜め方向に所定の距離だけずれたような状態で表示されることで、面付け設定選択肢配置面Ｓａと両面設定選択肢配置面Ｓｂとが表示される。
【００５８】
また、両面設定選択肢配置面Ｓｂは、長辺と平行な２つの線分によって３つの領域Ａａａ，Ａａｂ，Ａａｃに分割されている。
【００５９】
更に、図５に示すように、条件設定画面Ｇ１には、図５の斜め方向に一定の長さを有する線分Ｌｎの両端に図５の下方向に向けられた所定の長さの矢印がそれぞれ付されたポインタＰｔが表示される。ポインタＰｔを構成する線分Ｌｎは、面付け設定選択肢配置面Ｓａと両面設定選択肢配置面Ｓｂとのずれ方向に伸びた線分であり、面付け設定選択肢配置面Ｓａと両面設定選択肢配置面Ｓｂとのずれ量である所定の距離に相当する長さを有する。また、ポインタＰｔには、線分Ｌｎの略中央に、ポインタＰｔの位置を移動させる際の基準となる基準ポイントＤＰも付されている。
【００６０】
このようにディスプレイ１２の表示面上に表示された条件設定画面Ｇ１において、ポインタＰｔの基準ポイントＤＰに指を押し当てつつ、適宜画面上において指を滑らせると、ポインタ移動部２０２の制御下で、指の動きに追従して、基準ポイントＤＰが移動される。その結果として、条件設定画面Ｇ１におけるポインタＰｔの占める位置も移動される。
【００６１】
そして、条件設定画面Ｇ１上で占めるポインタＰｔの位置を適宜移動させて、１箇所に配置することで、ポインタＰｔの両端に付された矢印の先端がそれぞれ指し示す２つの選択肢を、各設定項目の選択肢として同時に指定することができる。つまり、Ｎｉｎ１設定と両面設定とに係る２つの選択肢からなる選択肢の組を指定することができる。
【００６２】
図６から図８では、それぞれ条件設定画面Ｇ１において指定される選択肢の組を例示している。図６では、Ｎｉｎ１設定の選択肢「１ｉｎ１」と、両面設定の選択肢「Simple」との組が指定されている状態が示されている。また、図７では、Ｎｉｎ１設定の選択肢「４ｉｎ１」と、両面設定の選択肢「Simple」との組が指定されている状態が示されている。更に、図８では、Ｎｉｎ１設定の選択肢「４ｉｎ１」と、両面設定の選択肢「Short Edge Bind」との組が指定されている状態が示されている。
【００６３】
＜ＭＦＰの動作＞
図９は、ＭＦＰ１の動作フローを例示するフローチャートである。図９に示す動作フローは、ＣＰＵ１２１の制御下で実行され、ＭＦＰ１の電源が投入されると開始される。
【００６４】
ステップＳ１では、表示制御部２０１の制御により、ディスプレイ１２に図４に示すようなカスタマイズ画面を表示する。
【００６５】
ステップＳ２では、ユーザー検出部２０４によってユーザーの指定動作を検出したか否か判定する。ここでは、ユーザーによりカスタマイズ画面のユーザー指定ボタン（例えば、図４のユーザー指定ボタンＢＴａ〜ＢＴｆのうちの何れか１つのユーザー指定ボタン）が指で触れられると、ユーザーの指定動作があったものとして、ステップＳ３に進む。一方、ユーザーの指定動作がなければ、ステップＳ４に進む。
【００６６】
ステップＳ３では、カスタマイズ画面において指定されたユーザーに対応するデフォルト位置情報をデフォルト位置情報ＤＢ７１から参照する。
【００６７】
ステップＳ４では、条件設定画面への遷移指示があったか否か判定する。ここでは、カスタマイズ画面の条件設定画面ボタンＴＣＢが指で触れられていなければ、ステップＳ２に戻り、カスタマイズ画面の条件設定画面ボタンＴＣＢが指で触れられると、ステップＳ５に進む。
【００６８】
ステップＳ５では、デフォルト位置情報ＤＢ７１に格納された前回使用時に対応するデフォルト位置情報を参照する。
【００６９】
ステップＳ６では、表示制御部２０１の制御により、面付け設定選択肢配置面Ｓａと、両面設定選択肢配置面Ｓｂと、ポインタＰｔとを含む条件設定画面（例えば図５）が表示される。このとき、条件設定画面において、ステップＳ３又はステップＳ５で参照されたデフォルト位置情報に対応する位置にポインタＰｔが表示される（例えば図６〜図８）。
【００７０】
ステップＳ７では、条件設定画面Ｇ１においてポインタＰｔの占める位置を適宜移動させて、ポインタＰｔによって複数の選択肢を指定することで、条件の設定を行う。
【００７１】
ステップＳ８では、ボタン群ＢＴに含まれる実行ボタン（不図示）の押下操作に応答して、ステップＳ７で設定された条件に従って印刷等の作業を実行する。
【００７２】
ステップＳ９では、現在設定されている条件設定画面上におけるポインタＰｔの位置をデフォルト位置として、デフォルト位置情報ＤＢ７１に記憶し、本動作フローを終了する。ステップＳ９の動作により、デフォルト位置情報ＤＢ７１において前回使用時に対応するデフォルト位置情報が更新登録される。
【００７３】
以上のように、第１実施形態に係るＭＦＰ１では、ディスプレイ１２上に、設定項目毎に複数の選択肢を仮想面上に配置した２つ（一般的には複数）の選択肢配置面（面付け設定選択肢配置面Ｓａおよび両面設定選択肢配置面Ｓｂ）と、ポインタＰｔとを含む条件設定画面Ｇ１を表示させる。そして、条件設定画面Ｇ１上においてポインタＰｔの占める位置を移動させて１箇所に配置することによって各選択肢配置面の選択肢をそれぞれ同時に指定する。このような構成を採用することで、例えば、複数の選択肢を指定する操作をポインタＰｔを適宜移動させる１つの操作で実行することができるため、比較的少ない操作回数で所望の条件を設定することができる。
【００７４】
また、上記構成を採用すると、選択肢を適宜選択するカーソルボタンと選択肢の指定を決定するボタンくらいしかないような操作部材が少ない機器においても、ポインタＰｔを移動させる一操作によって複数の選択肢を同時に指定することができるため、機器の操作性が大きく向上する。よって、上記では、ディスプレイ１２にタッチパネルを採用したが、ディスプレイ１２がタッチパネルを採用することができない位比較的小画面であっても、操作性の悪さを改善することができる。
【００７５】
また、ディスプレイ１２の画面上におけるポインタＰｔの基準位置を示す座標情報をデフォルト位置情報ＤＢ７１に予め格納しておく。そして、ユーザーによるカスタマイズ画面の接触操作を検出したことに応答して、デフォルト位置情報ＤＢ７１に格納されていた座標情報を参照することで、ポインタＰｔを画面上における基準位置に表示させる。このとき、条件設定画面Ｇ１に遷移させて、ポインタＰｔの占める位置がデフォルト位置のままで良い場合には、ポインタＰｔを移動させなくても済むため、ユーザーが容易に選択肢の組を指定することができる。また、ポインタＰｔの位置を示す座標情報といった比較的少ない情報で多数の選択肢の組み合わせを特定することができるため、記憶容量を有効利用することができる。
【００７６】
また、ディスプレイ１２の画面上におけるポインタＰｔの基準位置を示す座標情報を、ユーザー毎にそれぞれデフォルト位置情報ＤＢ７１に予め記憶しておく。そして、ユーザーによるカスタマイズ画面のユーザー指定ボタンの接触操作を検出したことに応答して、識別されたユーザーに対応する基準位置に、ポインタＰｔを表示させる。このような構成とすることで、ユーザーに応じて選択肢の組を指定する操作を簡素化することができるため、更に容易に選択肢の組を指定することができる。
【００７７】
＜第２実施形態＞
第１実施形態に係るＭＦＰ１では、条件設定画面Ｇ１には、面付け設定選択肢配置面Ｓａに対して両面設定選択肢配置面Ｓｂが隣接表示された。これに対して、第２実施形態に係るＭＦＰ１Ａでは、条件設定画面Ｇ１とは各要素の配置が異なる条件設定画面Ｇ２が表示される。
【００７８】
以下、第２実施形態に係るＭＦＰ１Ａにおける条件設定画面Ｇ２について説明する。なお、第１実施形態に係るＭＦＰ１と第２実施形態に係るＭＦＰ１Ａとは同様な構成を有するため、ここでは、同様な構成については同様な符号を付して説明を省略する。
【００７９】
図１０は、条件設定画面Ｇ２を例示する図である。条件設定画面Ｇ２では、面付け設定選択肢配置面Ｓａと両面設定選択肢配置面Ｓｂとが、視覚的に相互に異なる２つの平行する面上にそれぞれ配置される。より具体的には、面付け設定選択肢配置面Ｓａと両面設定選択肢配置面Ｓｂとが、視覚的に所定距離だけ離隔した状態で上下に並んだような態様で表示され、それぞれ擬似的に斜め方向から見たような形状となっている。
【００８０】
そして、条件設定画面Ｇ２には、画面の上側から下側に向けて所定の長さを有する線分の下端に矢印が付されたポインタＰｔ１が表示される。また、ポインタＰｔ１の上端にはポインタＰｔ１の位置を移動させる際の基準となる基準ポイントＤＰ１も付されている。ポインタＰｔ１の基準ポイントＤＰ１に指を押し当てつつ、適宜画面上において指を滑らせると、ポインタ移動部２０２の制御下で、指の動きに追従して、基準ポイントＤＰ１が移動され、結果として条件設定画面Ｇ２においてポインタＰｔ１の占める位置も移動される。
【００８１】
このようにして、条件設定画面Ｇ２上で占めるポインタＰｔ１の位置を適宜移動させることで、ポインタＰｔ１によって、面付け設定選択肢配置面Ｓａと両面設定選択肢配置面Ｓｂとを視覚的に貫通させることができる。そして、このとき、面付け設定選択肢配置面Ｓａおよび両面設定選択肢配置面ＳｂとポインタＰｔ１とが視覚的に交差する選択肢を、それぞれ各設定項目の選択肢として同時に指定することができる。つまり、Ｎｉｎ１設定と両面設定とに係る２つの選択肢からなる選択肢の組を同時に指定することができる。
【００８２】
図１１から図１３では、それぞれ条件設定画面Ｇ２において指定される選択肢の組を例示している。図１１では、Ｎｉｎ１設定の選択肢「１ｉｎ１」と、両面設定の選択肢「Simple」との組が指定されている状態が示されている。また、図１２では、Ｎｉｎ１設定の選択肢「４ｉｎ１」と、両面設定の選択肢「Simple」との組が指定されている状態が示されている。更に、図１３では、Ｎｉｎ１設定の選択肢「４ｉｎ１」と、両面設定の選択肢「Short Edge Bind」との組が指定されている状態が示されている。
【００８３】
以上のように、第２実施形態に係るＭＦＰ１Ａでは、ディスプレイ１２の表示面において、２枚（一般的には複数枚）の選択肢配置面（ここでは、面付け設定選択肢配置面Ｓａおよび両面設定選択肢配置面Ｓｂ）を、視覚的に相互に異なる面上にそれぞれ表示させる。そして、ポインタＰｔ１により、面付け設定選択肢配置面Ｓａと両面設定選択肢配置面Ｓｂとを貫くことで、選択肢の組を指定する。このような構成を採用することで、限られた表示領域に複数の選択肢を並べた条件設定画面を表示しつつ、比較的少ない操作回数で所望の条件を設定することができる。
【００８４】
＜第３実施形態＞
第２実施形態に係るＭＦＰ１Ａでは、条件設定画面Ｇ２には、面付け設定選択肢配置面Ｓａと両面設定選択肢配置面Ｓｂとが表示された。これに対して、第３実施形態に係るＭＦＰ１Ｂでは、更に、設定項目が雑誌綴じに係る設定（Booklet設定）が追加された条件設定画面Ｇ３が表示される。
【００８５】
以下、第３実施形態に係るＭＦＰ１Ｂにおける条件設定画面Ｇ３について説明する。なお、第２実施形態に係るＭＦＰ１Ａと第３実施形態に係るＭＦＰ１Ｂとは同様な構成を有するため、ここでは、同様な構成については同様な符号を付して説明を省略する。
【００８６】
図１４は、条件設定画面Ｇ３を例示する図である。条件設定画面Ｇ３には、第２実施形態に係る条件設定画面Ｇ２と同様に、面付け設定選択肢配置面Ｓａと両面設定選択肢配置面Ｓｂとが、視覚的に相互に異なる２つの平行する面上に配置される。更に、条件設定画面Ｇ３には、Booklet設定に係る選択肢（Booklet on，Booklet off）が付された領域Ａｂａ，Ａｂｂが仮想的な面上において相互に隣接されて構成された１つの面（以下「雑誌綴じ設定選択肢配置面」とも称する）Ｓｃが表示される。この雑誌綴じ設定選択肢配置面Ｓｃは、面付け設定選択肢配置面Ｓａおよび両面設定選択肢配置面Ｓｂと同様な形状を有する。なお、ここで「Booklet on」とは、紙面中央部を短辺に沿って複数枚の印刷用紙を折り曲げると、見開きの小冊子ができあがるような印刷を意味している。
【００８７】
そして、条件設定画面Ｇ３では、面付け設定選択肢配置面Ｓａと両面設定選択肢配置面Ｓｂと雑誌綴じ設定選択肢配置面Ｓｃとが、視覚的に相互に異なる３つの平行する面上に配置される。より具体的には、面付け設定選択肢配置面Ｓａと両面設定選択肢配置面Ｓｂと雑誌綴じ設定選択肢配置面Ｓｃとが、視覚的に所定距離だけそれぞれ相互に離隔した状態で上下に並んだような態様で表示され、それぞれ擬似的に斜め方向から見たような形状となっている。
【００８８】
このような条件設定画面Ｇ３では、面付け設定が「１ｉｎ１」でかつ両面設定が「Simple」である場合に、雑誌綴じ設定が「Booklet on」に設定することができるように、選択肢（Booklet on）が付された領域Ａｂａが配置される。具体的には、視覚的に、選択肢（１ｉｎ１）が付された領域Ａａ１の直下でかつ、選択肢（Simple）が付された領域Ａａａの直下にあたる雑誌綴り設定選択肢配置面Ｓｃ上に、領域Ａｂａが配置される。
【００８９】
これは、面付け設定が「２ｉｎ１」や「４ｉｎ１」に設定されている場合や、両面設定が「Long Edge Bind」や「Short Edge Bind」に設定されている場合に、雑誌綴じ設定が「Booklet on」に設定されるのは、矛盾する設定になるからである。つまり、矛盾する複数の選択肢の組み合わせをポインタＰｔ１によって指定することができないように、各設定項目に係る選択肢配置面Ｓａ，Ｓｂ，Ｓｃにおいて各選択肢が配置されている。また、別の観点から言えば、ポインタＰｔの長手方向に沿って、設定上矛盾する選択肢の組が配列されないように、各設定項目に係る選択肢配置面Ｓａ，Ｓｂ，Ｓｃにおいて各選択肢が配置されている。
【００９０】
図１５から図１７では、それぞれ条件設定画面Ｇ３において指定される選択肢の組を例示している。図１５では、Ｎｉｎ１設定の選択肢「１ｉｎ１」と、両面設定の選択肢「Simple」と、雑誌綴りの設定の選択肢「Booklet on」との組が指定されている状態が示されている。また、図１６では、Ｎｉｎ１設定の選択肢「１ｉｎ１」と、両面設定の選択肢「Simple」と、雑誌綴りの設定の選択肢「Booklet off」との組が指定されている状態が示されている。更に、図１７では、Ｎｉｎ１設定の選択肢「２ｉｎ１」と、両面設定の選択肢「Long Edge Bind」と、雑誌綴りの設定の選択肢「Booklet off」との組が指定されている状態が示されている。
【００９１】
以上のように、第３実施形態に係るＭＦＰ１Ｂでは、ディスプレイ１２の画面上において、所定の組み合わせの選択肢の組（ここでは、「Booklet on」に対して「１ｉｎ１」と「Simple」との組以外の組）が指定されないように、各選択肢配置面Ｓａ，Ｓｂ，Ｓｃにおいてそれぞれ複数の選択肢が配置される。このため、例えば、矛盾する組合わせの選択肢の組を指定してしまうといった不具合が発生しないようにすることができる。その結果、当該不具合の発生を解消する余分な操作等を招かないようにすることもできる。したがって、容易な操作で所望の条件を設定することができる。
【００９２】
また、設定上矛盾する第１の設定項目（ここでは、面付け設定や両面設定）に係る第１の選択肢（ここでは、２ｉｎ１，４ｉｎ１やLong Edge Bind，Short Edge Bind）と、第２の設定項目（ここでは、雑誌綴り設定）に係る第２の選択肢（ここではBooklet on）とが、ポインタＰｔ１の長手方向に沿って配置されないように、各選択肢配置面Ｓａ，Ｓｂ，Ｓｃにおいてそれぞれ複数の選択肢が配置される。このような構成により、矛盾する条件が設定されるのを未然に防ぐことができるため、容易な操作で所望の条件を設定することができる。
【００９３】
＜第４実施形態＞
第１から第３実施形態に係るＭＦＰ１，１Ａ，１Ｂでは、条件設定画面Ｇ１，Ｇ２，Ｇ３において初めから決められた設定項目に係る選択肢配置面Ｓａ，Ｓｂ，Ｓｃが適宜表示された。これに対して、第４実施形態に係るＭＦＰ１Ｃでは、予め準備された多数の設定項目の中から設定したい設定項目を選択した後に、条件の設定を行うことができるような条件設定画面Ｇ４が表示される。
【００９４】
以下、第４実施形態に係るＭＦＰ１Ｃにおける条件設定画面Ｇ４について説明する。なお、第４実施形態に係るＭＦＰ１Ｃは、第１から第３実施形態に係るＭＦＰ１，１Ａ，１Ｂとほぼ同様な構成を有するため、ここでは、同様な構成については同様な符号を付して説明を省略する。
【００９５】
図１８は、第４実施形態に係るＭＦＰ１Ｃにおける条件設定機能に関する機能構成を示すブロック図である。この条件設定機能については、ＣＰＵ１２１Ａによって実現される。
【００９６】
設定項目抽出部２１０は、ユーザーの操作に応答して、予め準備された多数の設定項目から一部の複数の設定項目を抽出する。
【００９７】
図１９は、条件設定画面Ｇ４を例示する図である。条件設定画面Ｇ４には、第３実施形態に係る条件設定画面Ｇ３と同様に、面付け設定選択肢配置面Ｓａと両面設定選択肢配置面Ｓｂと雑誌綴じ設定選択肢配置面Ｓｃとが表示される。更に、条件設定画面Ｇ４には、Staple設定に係る選択肢（Center Staple，Left Staple，Top Staple）がそれぞれ付された領域Ａｃａ，Ａｃｂ，Ａｃｃが仮想的な面上において適宜配置構成された１つの面（以下「Staple設定選択肢配置面」とも称する）Ｓｄが表示される（図２１参照）。このStaple設定選択肢配置面Ｓｄは、面付け設定選択肢配置面Ｓａ等と同様な形状を有する。なお、ここで「Center Staple」とは、小冊子用に紙面中央部を短辺に沿って上下方向にホッチキスで止めることを意味している。また、「Left Staple」とは、紙面の左側をホッチキスで止めることを、「Top Staple」とは、紙面の上側をホッチキスで止めることを意味している。
【００９８】
そして、カスタマイズ画面から条件設定画面Ｇ４に遷移したときには、図１９に示すような状態で条件設定画面Ｇ４が表示される。
【００９９】
図１９に示すように、条件設定画面Ｇ４は、初め、各選択肢配置面Ｓａ〜Ｓｄが視覚的に相互に比較的短距離だけ離隔した状態で上下に並んで表示され、擬似的に斜め方向から見たような画面となっている。この初期状態の条件設定画面Ｇ４では、各選択肢配置面Ｓａ〜Ｓｄが配置された上側に何も表示されていない比較的広い領域ＡＲが存在している。なお、領域ＡＲは、後述する作業領域として機能する。
【０１００】
図１９に示す初期状態の条件設定画面Ｇ４では、各選択肢配置面Ｓａ〜Ｓｄの右方に各面に対応する設定項目名がそれぞれ付されている。そして、複数の設定項目名のうち、ユーザーが設定したい設定項目名を指で触れて選択すると、例えば、図２０に示すような条件設定画面Ｇ４へと移行する。
【０１０１】
図２０に示すように、ユーザーによって設定項目名が適宜指で触れられて選択されると、選択された順に、選択された設定項目名に係る選択肢配置面が領域（作業領域）ＡＲに移動する。図２０では、Ｎｉｎ１設定とStaple設定とが順次選択されることで、面付け設定選択肢配置面ＳａとBooklet設定選択肢配置面Ｓｄとが順次作業領域ＡＲに移動する。
【０１０２】
このとき、複数の設定項目名が順次選択されると、設定項目抽出部２１０によって、多数の設定項目から一部の複数の設定項目が抽出され、ここでは、多数の選択肢配置面のうちの一部の複数の選択肢配置面（選択肢配置面群）が抽出される。そして、この抽出された選択肢配置面群は、表示制御部２０１の制御下で、作業領域ＡＲに移動されて表示される。
【０１０３】
条件設定画面Ｇ４を図２０に示された状態とした後に、ポインタＰｔ１を適宜移動させることで、図２１に示すように、２つ（一般的には複数）の選択肢配置面Ｓａ，Ｓｄを視覚的に貫通させることができる。そして、このとき、面付け設定選択肢配置面ＳａおよびBooklet設定選択肢配置面ＳｄとポインタＰｔ１とが視覚的に交差する選択肢を、それぞれ各設定項目の選択肢として同時に指定することができる。なお、図２１では、面付けの設定の選択肢「１ｉｎ１」とStaple設定の選択肢「Center Staple」とからなる選択肢の組が指定された状態を示している。
【０１０４】
なお、選択される設定項目は、上記図２０および図２１に示されたものに限られない。
【０１０５】
以上のように、第４実施形態に係るＭＦＰ１Ｃでは、ディスプレイ１２の表示面に条件設定画面Ｇ４を表示させる際には、まず、下方の領域にまとめて多数の設定項目に係る選択肢配置面Ｓａ〜Ｓｄを配列させておく。そして、ユーザーによる選択操作に応答して、多数の選択肢配置面Ｓａ〜Ｓｄのうちの一部の選択肢配置面群を抽出する。更に、当該選択肢配置面群について、ポインタＰｔ１を移動させて１箇所に配置することによって抽出された各選択肢配置面の選択肢をそれぞれ同時に選択することができる。このような構成を採用することで、必要な設定項目について選択肢配置面を表示すれば良いことを利用して、必要な複数の選択肢配置面を表示面上に比較的見易く表示させることができるため、操作性の向上に資することができる。
【０１０６】
＜変形例＞
以上、この発明の実施形態について説明したが、この発明は上記説明した内容のものに限定されるものではない。
【０１０７】
◎例えば、上述した実施形態では、画像出力装置として機能するＭＦＰを対象としたものであったが、これに限られず、本発明は、コピー機やプリンタなどの各種画像出力装置、撮像装置などの各種画像入力装置、携帯電話機やＰＤＡなどの携帯式の電子機器、およびパーソナルコンピュータ（パソコン）などの各種コンピュータなどといった表示画面に選択肢を表示する各種電子機器および電気機器一般に適用することができる。
【０１０８】
なお、本明細書で言う「電気機器」とは、各種画像出力装置、各種画像入力装置、各種携帯式の電子機器、および各種コンピュータなどといった各種機器を示している。
【０１０９】
◎また、上述した実施形態では、操作画面がタッチパネル上に表示されるため、ユーザーが指でポインタを動かしたが、これに限られるものではなく、例えば、カーソルキーを操作することでポインタの位置を移動させて、決定ボタンを押下することで、選択肢の選択を実行するような態様のものであっても良い。
【０１１０】
◎また、上述した実施形態では、ユーザー毎に条件設定画面におけるポインタのデフォルト位置がカスタマイズされたが、これに限られず、条件設定画面における各選択肢配置面と各選択肢の配置がユーザー毎にカスタマイズされても良い。
【図面の簡単な説明】
【０１１１】
【図１】第１実施形態に係るＭＦＰを示す外観図である。
【図２】ＭＦＰの主な機能構成を示すブロック図である。
【図３】条件設定機能に関する機能構成を示すブロック図である。
【図４】カスタマイズ画面を例示する図である。
【図５】第１実施形態に係る条件設定画面を示す図である。
【図６】条件設定画面において指定される選択肢の組を例示する図である。
【図７】条件設定画面において指定される選択肢の組を例示する図である。
【図８】条件設定画面において指定される選択肢の組を例示する図である。
【図９】ＭＦＰの動作フローを例示するフローチャートである。
【図１０】第２実施形態に係る条件設定画面を例示する図である。
【図１１】条件設定画面において指定される選択肢の組を例示する図である。
【図１２】条件設定画面において指定される選択肢の組を例示する図である。
【図１３】条件設定画面において指定される選択肢の組を例示する図である。
【図１４】第３実施形態に係る条件設定画面を例示する図である。
【図１５】条件設定画面において指定される選択肢の組を例示する図である。
【図１６】条件設定画面において指定される選択肢の組を例示する図である。
【図１７】条件設定画面において指定される選択肢の組を例示する図である。
【図１８】条件設定機能に関する機能構成を示すブロック図である。
【図１９】第４実施形態に係る条件設定画面を例示する図である。
【図２０】第４実施形態に係る条件設定画面を例示する図である。
【図２１】第４実施形態に係る条件設定画面を例示する図である。
【符号の説明】
【０１１２】
１，１Ａ〜１Ｃ  ＭＦＰ
１０  操作パネル
１２  ディスプレイ
１２０  コントローラ
１２１，１２１Ａ  ＣＰＵ
１３１  プログラム
２０１  表示制御部
２０２  ポインタ移動部
２０３  選択肢指定部
２０４  ユーザー検出部
２０５  ユーザー識別部
２１０  設定項目抽出部
Ｇ１〜Ｇ４  条件設定画面
Ｐｔ，Ｐｔ１  ポインタ
【図１】
2007001233.tif 000003
【図２】
2007001233.tif 000004
【図３】
2007001233.tif 000005
【図４】
2007001233.tif 000006
【図５】
2007001233.tif 000007
【図６】
2007001233.tif 000008
【図７】
2007001233.tif 000009
【図８】
2007001233.tif 000010
【図９】
2007001233.tif 000011
【図１０】
2007001233.tif 000012
【図１１】
2007001233.tif 000013
【図１２】
2007001233.tif 000014
【図１３】
2007001233.tif 000015
【図１４】
2007001233.tif 000016
【図１５】
2007001233.tif 000017
【図１６】
2007001233.tif 000018
【図１７】
2007001233.tif 000019
【図１８】
2007001233.tif 000020
【図１９】
2007001233.tif 000021
【図２０】
2007001233.tif 000022
【図２１】
2007001233.tif 000023